(57)【要約】【課題】基板の高さが調整可能で、全体の体積が従来のものよりも小さくなり、且つその基板が水平方向に移動自在な基板受け用ジグを提供する。【解決手段】本発明は、台座１０と、枠体２１とシャフト２２と駆動組２３とを含み、前記枠体２１が前記台座１０の上で並列されるとともに、枢着部２１３によって連接している二つのロッド２１１、２１２から構成され、且つ前記各枠体２１のロッドのうちの一つが前記台座１０に枢着され、前記各枠体の他のロッドが前記シャフト２２に枢着され、前記駆動組２３は、前記台座１０及び前記シャフト２２とそれぞれ連接しており、前記シャフト２２が前記台座１０に対して変位するように前記シャフト２２を駆動可能である調整枠２０と、前記台座１０に設置される伸縮支持枠３０と、前記調整枠２０の各枠体の枢着部に枢着され、前記伸縮支持枠３０に押付けられることにより位置決められる受け台とを含むことを特徴とする。【選択図】図１
2009142954.tif 000002
【特許請求の範囲】
【請求項１】
台座と、若干の枠体とシャフトと駆動組とを含み、これらの枠体が前記台座の上で並列され、前記各枠体は枢着部によって連接している二つのロッドから構成され、且つ前記各枠体のロッドのうちの一つが前記台座に枢着され、前記各枠体の他のロッドが前記シャフトに枢着され、前記駆動組は前記台座および前記シャフトとそれぞれ連接しており、前記シャフトが前記台座に対して変位するように前記シャフトを駆動可能である調整枠と、前記台座に設置される伸縮支持枠と、前記調整枠の各枠体の枢着部に枢着され、前記伸縮支持枠に押付けられることにより位置決められる受け台を含むことを特徴とする、基板受け用ジグ。
【請求項２】
前記調整枠の枠体のうちの一つは、その二つのロッドに緩衝具がそれぞれ設けられ、且つ前記二つの緩衝具が前記受け台に枢着されることを特徴とする、請求項１に記載の基板受け用ジグ。
【請求項３】
前記調整枠の駆動組は、二つの軸台と、変位台と、ねじ軸と、ハンドルとを含み、前記二つの軸台が前記台座の上で設置され、前記変位台が前記調整枠のシャフトに設けられ、前記ねじ軸が前記二つの軸台を挿通して前記変位台に螺合され、前記ハンドルが前記ねじ軸の一端に設けられることを特徴とする、請求項１に記載の基板受け用ジグ。
【請求項４】
前記受け台は、連接ロッドと、受け具とを含み、前記連接ロッドは若干のヒンジによって前記受け具と連接し、且つ前記調整枠の各枠体の枢着部に枢着され、前記受け具は前記伸縮支持枠に押付けられることにより位置決められることを特徴とする、請求項１に記載の基板受け用ジグ。
【請求項５】
更に、前記受け台の上では玉が複数に設けてあることを特徴とする、請求項１に記載の基板受け用ジグ。
【発明の詳細な説明】
【技術分野】
【０００１】
本発明は、プレート形状を呈するものの受け及び運搬に係り、特に、基板を受けるための受け用ジグに関するものである。
【背景技術】
【０００２】
目下、基板を運搬するための受けジグは、複数本のシャフトから構成される矩形の枠状なベースの上で受け枠を枢着し、前記受け枠は基板の受けや運搬をすることができ、しかし、このような受けジグのベースはシャフトを矩形な枠体に溶接して構成されるものであるので、ベースの体積が極めて大きく、ベースの移動や保存は極めて不便である。
【０００３】
基板を運搬するための従来の受けジグは、受け枠によって基板を受けるが、機器の高さと一致するように基板を調整する場合には、ベースの底部の四つのコナーで高さを調整するための支え足を設けることが必要であり、そうしないと基板を機器に入れることができない。
【０００４】
しかしながら、基板の変位を容易にするために、受けジグの受け枠の上では片方向に回転可能なローラが多数に設けられ、だが基板と機器の相対位置に少しのズレがあると、これらのローラにより基板の機器に対する相対位置を調整することができなくなり、この場合には受けジグの位置をもう一度調整し、又は基板を持ち上げて機器に直接に設置することが必要であるが、そうすると作業者が油断すると基板は損壊する虞がある。
【発明の開示】
【発明が解決しようとする課題】
【０００５】
本発明の主な目的は、受けられる基板の高さを調整可能な基板受け用ジグを提供することにある。
【０００６】
本発明の次の目的は、全体の体積が従来のものよりも小さくなり、掛かられる貯蔵空間を低減可能な基板受け用ジグを提供することにある。
【０００７】
本発明の別の目的は、その上で設置される基板が水平方向に移動自在な基板受け用ジグを提供することにある。
【課題を解決するための手段】
【０００８】
上記目的を達成するためになされた本願の発明は、台座と、若干の枠体とシャフトと駆動組とを含み、これらの枠体が前記台座の上で並列され、前記各枠体は枢着部によって連接している二つのロッドから構成され、且つ前記各枠体のロッドのうちの一つが前記台座に枢着され、前記各枠体の他のロッドが前記シャフトに枢着され、前記駆動組は、前記台座および前記シャフトとそれぞれ連接しており、前記シャフトが前記台座に対して変位するように前記シャフトを駆動可能である調整枠と、前記台座に設置される伸縮支持枠と、前記調整枠の各枠体の枢着部に枢着され、前記伸縮支持枠に押付けられることにより位置決められる受け台を含むことを特徴とする、基板受け用ジグであることを要旨としている。
【０００９】
本願の発明では、前記調整枠の枠体のうちの一つは、その二つのロッドに緩衝具がそれぞれ設けられ、且つ前記二つの緩衝具が前記受け台に枢着されることを特徴とする、請求項１に記載の基板受け用ジグであることを要旨としている。
【００１０】
本願の発明では、前記調整枠の駆動組は、二つの軸台と、変位台と、ねじ軸と、ハンドルとを含み、前記二つの軸台が前記台座の上で設置され、前記変位台が前記調整枠のシャフトに設けられ、前記ねじ軸が前記二つの軸台を挿通して前記変位台に螺合され、前記ハンドルが前記ねじ軸の一端に設けられることを特徴とする、請求項１に記載の基板受け用ジグであることを要旨としている。
【００１１】
本願の発明では、前記受け台は、連接ロッドと、受け具とを含み、前記連接ロッドは若干のヒンジによって前記受け具と連接し、且つ前記調整枠の各枠体の枢着部に枢着され、前記受け具は前記伸縮支持枠に押付けられることにより位置決められることを特徴とする、請求項１に記載の基板受け用ジグであることを要旨としている。
【００１２】
本願の発明では、更に、前記受け台の上では玉が複数に設けてあることを特徴とする、請求項１に記載の基板受け用ジグであることを要旨としている。
【発明の効果】
【００１３】
本発明の基板受け用ジグによれば、次のような効果がある。
（１）受けられる基板の高さを調整可能である。
【００１４】
（２）全体の体積が従来のものよりも小さくなり、掛かられる貯蔵空間を低減可能である。
【００１５】
（３）その上で設置される基板は水平方向に移動自在である。
【発明を実施するための最良の形態】
【００１６】
以下、添付図面を参照して本発明の好適な実施の形態を詳細に説明する。
【００１７】
まず、図１及び図３を参照する。本発明の実施例の基板受け用ジグは、台座１０と、調整枠２０と、伸縮支持枠３０と、受け台４０とを含む。
【００１８】
前記台座１０は、矩形な外フレーム１１と、前記外フレーム１１内に固定される十字形な内フレーム１２から構成されるものであり、その下面に六つのローラ１３が枢着され、これらのローラ１３が前記外フレーム１１の対向する両側に三つづつ設けられ、且つ同じ側に設けられるローラ１３が等間隔で一列に排列される。
【００１９】
前記調整枠２０は、三つのΛ字形を呈する枠体２１と、シャフト２２と、駆動組２３とを含み、前記三つの枠体２１が台座１０の上で並列され、前記各枠体２１は、枢着部２１３によって連接している二つのロッド２１１，２１２から構成され、且つ前記各枠体２１のロッド２１１の前記枢着部２１３から遠ざかった一端が台座１０に枢着され、また、ロッド２１２の前記枢着部２１３から遠ざかった一端が前記シャフト２２に枢着され、シャフト２２により三つの枠体２１が連動され、且つ中央に位置する枠体２１は、そのロッド２１１，２１２に緩衝具２１４（例えば、バネによって緩衝するクッション、又は気体によって緩衝する窒素スプリング）がそれぞれ枢着してあり、前記駆動組２３は、前記台座１０および前記シャフト２２とそれぞれ連接しており、前記シャフト２２が前記台座１０に対して変位するように前記シャフト２２を駆動可能であり、前記駆動組２３は、二つの軸台２３１と、変位台２３２と、ねじ軸２３３と、ハンドル２３４とを含み、前記二つの軸台２３１が前記台座１０の上で設置され、前記変位台２３２が前記調整枠２０のシャフト２２に設けられ、前記ねじ軸２３３が前記二つの軸台２３１を挿通して前記変位台２３２に螺合され、前記ハンドル２３４が前記ねじ軸２３３の一端に設けられる。
【００２０】
前記伸縮支持枠３０は、台座１０の上で鉛直に立設され伸縮可能であり、なお、その伸縮動作が周知の構成および技術であるので説明を省略する。
【００２１】
前記受け台４０は、連接ロッド４１と、受け具４２とを含み、前記連接ロッド４１は、本実施例では四つのヒンジ４３によって前記受け具４２と連接し、且つ前記調整枠２０の各枠体２１の枢着部２１３に枢着され、前記受け具４２は前記伸縮支持枠３０に押付けられることにより位置決められ、調整枠２０の二つの緩衝具２１４に枢着され、且つ前記受け具４２の上で玉４４が複数に設けてある。
【００２２】
また、受け台４０の高さを調整しようとする場合には、図３に示すように、調整枠２０の駆動組２３のハンドル２３４を回転させて、ねじ軸２３３が駆動されて二つの軸台２３１の上で回転するようになり、このとき、変位台２３２は、ねじ軸２３３に駆動されてねじ軸２３３の軸方向に沿って変位するようになる。
【００２３】
また、変位台２３２がねじ軸２３３の軸方向に沿って変位する場合には、図４に示すように、調整枠２０のシャフト２２が駆動されて変位し、且つシャフト２２が調整枠２０の三つの枠体２１と連動するので、各枠体２１が台座１０に枢着されるロッド２１１を中心として回転し、ひいては各枠体２１のロッド２１１，２１２の間の開角が変化され、そして各枢着部２１３の台座１０に対する高さも変化され、また、受け台４０の連接ロッド４１が各枠体２１の枢着部に枢着しているので、受け台４０もこれらの枠体２１に駆動されて台座１０に対する高さが変化され、このとき、伸縮支持枠３０の長さを更に調整するだけで、台座４０に押付けて台座４０の高さを調整可能であり、なお、受け台４０の受け具４２の上で放置される基板（例えば一般の液晶ディスプレーのガラス基板）は、機器の高さと一致するように調整された後、受け具４２の上でのこれらの玉４４により、受け具４２の上で水平に自在移動であり、このとき、機器に移動して加工を施し、又は収納棚に移動して収納することができる。
【００２４】
また、受け台４０の連接ロッド４１と受け具４２とがこれらのヒンジ４３によって枢着されるので、受け台４０は、図５に示すように、連接ロッド４１に対して回動可能であり、だから、収納状態では、掛かられる収納空間を低減可能であり、収納が更に容易になる。
【００２５】
また、調整枠２０の二つの緩衝具２１４が受け台４０の受け具４２に枢着されるので、受け具４２が連接ロッド４１に対して回動する場合には、緩衝具２１４によって緩衝効果が働き、これにより、突然に回動する受け具４２が別の部材に衝突して損壊になることを回避可能である。
【図面の簡単な説明】
【００２６】
【図１】本発明の実施例の斜視図
【図２】本発明の実施例の概略図
【図３】本発明の実施例の駆動組の作動を示す概略図
【図４】本発明の実施例の受け台の高さを調整している状態を示す概略図
【図５】本発明の実施例の受け具が連接ロッドに対して回転している状態を示す概略図
【符号の説明】
【００２７】
１０      台座                                  
１１      外フレーム
１２      内フレーム                      
１３      ローラ
２０      調整枠                          
２１      枠体
２２      シャフト                              
２３      駆動組
３０      伸縮支持枠                      
４０      受け台
４１      連接ロッド                      
４２      受け具
４３      ヒンジ                          
４４      玉
２１１    ロッド  
２１２    ロッド              
２１３    枢着部
２１４    緩衝具                          
２３１    軸台
２３２    変位台                          
２３３    ねじ軸
２３４    ハンドル
【図１】
2009142954.tif 000003
【図２】
2009142954.tif 000004
【図３】
2009142954.tif 000005
【図４】
2009142954.tif 000006
【図５】
2009142954.tif 000007